(57)【要約】【課題】住宅を構成する部屋、特に狭小な部屋に対し、採光を確保しつつその収納の最大化を図る構造を、合理的かつ効果的に付与できるようにする。【解決手段】棚設備１を、高窓２の前方に、この棚設備１の背部１ａと高窓２との間及びこの棚設備１の天部１ｂと天井Ｒｃとの間に採光用間隔３を開けて設けさせてなる。棚設備１の底部１ｃには、前側及び背側を共に開放させた追加棚設備５が吊り下げ状に備えられている。【選択図】図２
2014134050.tif 000002
【特許請求の範囲】
【請求項１】
棚設備を、高窓の前方に、この棚設備の背部と高窓との間に採光用間隔を開けて設けさせてなることを特徴とする住宅の採光構造。
【請求項２】
棚設備を、高窓の前方に、この棚設備の背部と高窓との間及びこの棚設備の天部と天井との間に採光用間隔を開けて設けさせてなることを特徴とする住宅の採光構造。
【請求項３】
棚設備を、その底部が高窓の下端と略同じレベルとなるように設けさせてなることを特徴とする請求項１又は請求項２に記載の住宅の採光構造。
【請求項４】
高窓の下方に位置される壁の少なくとも一部に、光反射部材を張り込んでなることを特徴とする請求項１〜請求項３のいずれか１項に記載の住宅の採光構造。
【請求項５】
棚設備の背部の少なくとも一部に光反射部材を張り込んでなることを特徴とする請求項１〜請求項４のいずれか１項に記載の住宅の採光構造。
【請求項６】
棚設備の天部の少なくとも一部に光反射部材を張り込んでなることを特徴とする請求項２〜請求項５のいずれか１項に記載の住宅の採光構造。
【請求項７】
棚設備の底部に、前側及び背側を共に開放させた追加棚設備が吊り下げ状に備えられていることを特徴とする請求項１〜請求項６のいずれか１項に記載の住宅の採光構造。
【発明の詳細な説明】
【技術分野】
【０００１】
この発明は、住宅を構成する部屋に、採光と収納とを合理的かつ効果的に付与させる構造に関する。
【背景技術】
【０００２】
洗面室などの住宅における狭小な部屋にあっては、狭小ゆえの設計上の制約から、また、そこへの設備、機器、家具などの設置の関係から、腰窓はもとより天窓も設け難い場合が少なくなく、採光、さらには、通風が不十分になりやすい。
【０００３】
洗面台の後部に収納した鏡を、それを利用するときは出窓を塞ぐ上方に移動させ、非利用時は前記のように収納して出窓を通じた採光を確保するようにしたものとして特許文献１に示されるものがある。しかるに、この特許文献１のものにあっては、鏡の利用と採光とは両立し得ない。
【０００４】
天窓と地窓の間に収納部を設けるようにしたものとして特許文献２に示されるものがあるが、これも狭小な部屋の採光を確保しつつその収納の最大化を図るものとはなっていない。
【先行技術文献】
【特許文献】
【０００５】
【特許文献１】特開平８−１５１８６２号公報
【特許文献２】特開２００８−２０６５６１号公報
【発明の概要】
【発明が解決しようとする課題】
【０００６】
この発明が解決しようとする主たる問題点は、住宅を構成する部屋、特に狭小な部屋に対し、採光を確保しつつその収納の最大化を図る構造を、合理的かつ効果的に付与できるようにする点にある。
【課題を解決するための手段】
【０００７】
前記課題を達成するために、この発明にあっては、第一の観点から、住宅の採光構造を、棚設備を、高窓の前方に、この棚設備の背部と高窓との間に採光用間隔を開けて設けさせてなるものとした。
【０００８】
また、前記課題を達成するために、この発明にあっては、第二の観点から、前記棚設備を、高窓の前方に、この棚設備の背部と高窓との間及びこの棚設備の天部と天井との間に採光用間隔を開けて設けさせてなるものとした。
【０００９】
かかる第一の観点及び第二の観点にかかる発明によれば、この採光構造が採用される部屋の上部に前記棚設備によって収納を確保させながら、前記高窓から部屋内に外光を取り入れることが可能となる。外光は前記採光用間隔を通じて部屋内に取り入れられることから、かかる採光構造は間接照明と同種の効果をこれを適用した部屋に付与する。前記棚設備によって高窓から部屋内は外部から直接視認されることはなく、かかる採光構造はプライバシーの確保にも資する。また、前記棚構造によって高窓からの部屋内への侵入を抑止することができ、かかる採光構造は防犯にも資する。
【００１０】
前記棚設備は、その底部が高窓の下端と略同じレベルとなるように設けさせておくことが、この発明の好ましい態様の一つである。また、前記棚設備の底部に、前側及び背側を共に開放させた追加棚設備を吊り下げ状に備えさせておくことが、この発明の好ましい態様の一つである。また、前記高窓の下方に位置される壁の少なくとも一部に、光反射部材を張り込ませておくことが、この発明の好ましい態様の一つである。また、前記棚設備の背部の少なくとも一部に光反射部材を張り込ませておくことが、この発明の好ましい態様の一つである。
【００１１】
また、前記第二の観点にかかる発明にあっては、棚設備の天部の少なくとも一部に光反射部材を張り込ませておくことが、この発明の好ましい態様の一つである。
【発明の効果】
【００１２】
この発明によれば、住宅を構成する部屋、特に狭小な部屋に対し、採光を確保しつつその収納の最大化を図る構造を、合理的かつ効果的に付与することができる。
【図面の簡単な説明】
【００１３】
【図１】図１はこの発明にかかる採光構造の第一例を示した正面構成図である。
【図２】図２は図１におけるＡ−Ａ線位置での断面構成図である。
【図３】図３は図１におけるＢ−Ｂ線位置での断面構成図である。
【図４】図４は図１におけるＣ−Ｃ線位置での断面構成図である。
【図５】図５はこの発明にかかる採光構造の第二例を示した正面構成図である。
【発明を実施するための形態】
【００１４】
以下、図１〜図５に基づいて、この発明の典型的な実施の形態について、説明する。この実施の形態にかかる採光構造は、これが適用される住宅を構成する部屋Ｒに、採光と収納とを合理的かつ効果的に付与させるものである。
【００１５】
かかる採光構造は、棚設備１を、高窓２の前方に、この棚設備１の背部１ａと高窓２との間に採光用間隔３を開けて設けさせてなる。これにより、この採光構造が採用される部屋Ｒの上部に前記棚設備１によって収納を確保させながら、前記高窓２から部屋Ｒ内に外光を取り入れることが可能となる。外光は前記採光用間隔３を通じて部屋Ｒ内に取り入れられることから、かかる採光構造は間接照明と同種の効果をこれを適用した部屋Ｒに付与する。図示の例では前記高窓２にはガラスがはめられているがこれを開放可能なガラス戸としておけば、この高窓２の開放により前記採光用間隔３を利用した通風も可能となる。このようにする場合には、前記棚設備１下から前記ガラス戸を開閉操作可能とする開閉装置を設けるようにする。前記棚設備１によって高窓２から部屋Ｒ内は外部から直接視認されることはなく、かかる採光構造はプライバシーの確保にも資する。また、前記棚構造によって高窓２からの部屋Ｒ内への侵入を抑止することができ、かかる採光構造は防犯にも資する。
【００１６】
前記高窓２の下方に位置される壁Ｒａの少なくとも一部に、光反射部材４を張り込むようにしておけば、前記採光用間隔３から取り込んだ外光をかかる光反射部材４により反射させて部屋Ｒ内に導くことが可能となる。また、棚設備１の背部１ａの少なくとも一部に光反射部材４を張り込むようにしておくことによっても、前記採光用間隔３から取り込んだ外光をかかる光反射部材４により反射させて部屋Ｒ内に導くことが可能となる。
【００１７】
かかる採光構造は、特に、洗面室などの住宅における狭小な部屋Ｒに適用するのに適している。かかる採光構造を用いれば、かかる狭小な部屋Ｒの上方に収納を設け、かつ、この収納下に設備、機器、家具の設置スペースを確保しつつ、かかる狭小な部屋Ｒへの採光を確保することができる。
【００１８】
図１〜図４は、浴室に隣接した洗面室にかかる採光構造を適用した例（第一例）を示している。図中符号Ｗは洗面台であり、符号４ａはこの洗面台Ｗと高窓２との間の壁Ｒａ面を覆うように配置された鏡であり、符号Ｍは床Ｒｂの防水パンＰ上に設置された洗濯機である。このような洗面室ではスペースの関係から腰窓は設け難い場合が少なくない。この実施の形態にかかる採光構造は、この洗面室のような狭小な部屋Ｒに収納と採光とを合理的かつ効果的に付与する。この第一例にあっては、棚設備１の天部１ｂと天井Ｒｃとの間にも採光用間隔３を形成させた状態で、棚設備１を設けさせている。これにより、この第一例にあっては、かかる棚設備１の天部１ｂと天井Ｒｃとの間の採光用間隔３を通じても前記高窓２から部屋Ｒ内に外光が取り入れられるようになっている。この第一例にあっては、棚設備１は、前記背部１ａを構成する背板と、前記天部１ｂを構成する天板と、底部１ｃを構成する底板とを備え、収納物を出し入れする前面を扉板１ｄによって開放可能に閉塞させた構成となっている。また、この第一例では、かかる棚設備１は、その左側を洗面室の前記壁Ｒａに向かって左側の壁Ｒｄに支持され、かつ、その右側を洗面室の前記壁Ｒａに向かって右側の壁Ｒｅに支持されて、前記背部１ａの後方と天部１ｂの上方とにそれぞれ採光用間隔３を形成させた状態で高窓２の前方に配置されている。
【００１９】
前記棚設備１の背部１ａと高窓２との間の採光用間隔３の前後寸法は、これが大きすぎると棚設備１が部屋Ｒ内に突き出しすぎることとなり、また、これが狭すぎると部屋Ｒ内に外光を取り込み難くなる。これらを考慮すると、かかる前後寸法は、５〜１５ｃｍの範囲とすることが好ましい。また、前記棚設備１の天部１ｂと天井Ｒｃとの間の採光用間隔３の上下寸法も部屋Ｒ内への外光の取り込みを考慮すると、５〜１５ｃｍの範囲とすることが好ましい。
【００２０】
また、この第一例にあっては、前記棚設備１は、その底部１ｃが高窓２の下端２ａと略同じレベルとなるように設けられている。これによって、前記プライバシーの確保を実現しつつ、外光の取り入れが適切になされるようになっている。
【００２１】
この第一例にあっては、前記鏡４ａが前記高窓２の下方に位置される壁Ｒａに張り込まれた光反射部材４として機能するようになっている。また、この第一例にあっては、前記採光用間隔３に臨んだ棚設備１の背部１ａ及び天部１ｂにも光反射部材４を張り込ませている。これによりこの第一例にあっては、前記高窓２から取り込まれた外光により、棚設備１の下方及び天井Ｒｃを効果的に明るくさせることができる。かかる光反射部材４としては、前記のような鏡のほか、白色の化粧シートや化粧板、ステンレス板、アルミ板などの金属板を用いることができる。外光を部屋Ｒ内に効果的に取り込む観点からは、光反射部材４として鏡および金属板を用いる場合には、反射率が７０%以上、好ましくは９０%以上のものを用いることが好ましい。
【００２２】
また、この第一例にあっては、前記棚設備１の底部に、前側及び背側を共に開放させた追加棚設備５が吊り下げ状に備えられている。図示の例では、かかる追加棚設備５は、上端を棚設備１の底部１ｃに止着させた左右の側板５ａ、５ａと、この左右の側板５ａ、５ａ間に架設された棚板５ｂから構成されており、前記棚設備１の背部１ａと高窓２との間の採光用間隔３から取り入れた外光を遮らない構成となっている。
【００２３】
また、この第一例にあっては、棚設備１の背部１ａの後方となる高窓２の下端２ａに図中符号６で示す照明装置を構成する発光体が備えられており、夜間はこの発光体からの光によって間接照明効果が得られるようになっている。
【００２４】
図５は、第一例と同様に、浴室に隣接した洗面室に採光構造を適用した例（第二例）を示しているが、棚設備１と天井Ｒｃとの間に採光用間隔３を設けていない点で第一例と異なる。この第二例のようにした場合、棚設備１は天井Ｒｃによって支持させることができる。第二例のその余の点は第一例と実質的に同一であるので、この実質的に同一の構成については図５に図１〜図４に用いた符号と同一の符号を付してその説明は省略する。
【符号の説明】
【００２５】
１  棚設備
１ａ  背部
１ｂ  天部
１ｃ  底部
２  高窓
３  採光用間隔
５  追加棚設備
【図１】
2014134050.tif 000003
【図２】
2014134050.tif 000004
【図３】
2014134050.tif 000005
【図４】
2014134050.tif 000006
【図５】
2014134050.tif 000007